(57)【要約】【課題】液晶シャッター閉止時は、リールは暗いことからリール図柄のさまざまな色が画面に映ってしまうことがなく、本来の映像に別な色が重なるような画質劣化が起こらない遊技機用液晶シャッター装置とする。【解決手段】回転するリールやセンターヤクモノを有する遊技機において、液晶表示パネル５と重ね合わせて使われる液晶シャッター装置にあって、図柄リール１と液晶バックライトのための照明を、液晶シャッター２の開放時用と閉止時用にそれぞれ別のものを設置し、シャッター開閉に同期させて双方を使い分ける。映像を見るための液晶シャッター閉止時は、リールは暗いことからリール図柄のさまざまな色が画面に映ってしまうことがなく、本来の映像に別な色が重なるような画質劣化が起こらない。それぞれの光源を使い分けることで、電力の節約と機器内発熱の減少もできる。【選択図】図５
2007215983.tif 000002
【特許請求の範囲】
【請求項１】
回転リールやセンターヤクモノを有する遊技機において、液晶表示パネルと液晶シャッターを重ねて使用する遊技機用液晶シャッター付き表示装置にあって、回転リールと液晶バックライトのための照明を、前記液晶シャッターの開放時用と閉止時用にそれぞれ別のものを設置し、前記液晶シャッターの開閉に同期してこれら照明を使い分けて点、消灯させることを特徴とする遊技機用液晶シャッター付き表示装置。
【請求項２】
請求項１の遊技機用液晶シャッター付き表示装置において、前記回転リール内に該回転のリール図柄を照光するランプがある場合は、該ランプ点灯も前記液晶シャッター開閉に同期させて点、消灯させることを特徴とする遊技機用液晶シャッター付き表示装置。
【請求項３】
請求項１または２の遊技機用液晶シャッター付き表示装置において、前記液晶シャッターが、電圧印加で透明（シャッター開放）に、不印加ではスリガラス状の不透明（シャッター閉止）になるフィルムシート状の部材であることを特徴とする遊技機用液晶シャッター付き表示装置。
【請求項４】
請求項１から３のいずれかの遊技機用液晶シャッター付き表示装置において、前記液晶表示パネルは、導光板、拡散板、反射板等を備えないものであることを特徴とする遊技機用液晶シャッター付き表示装置。
【請求項５】
請求項１から４のいずれかの遊技機用液晶シャッター付き表示装置において、前記液晶表示パネルと前記液晶シャッターの配設位置が、視線方向で全体またはほぼ全体が重なっていることを特徴とする遊技機用液晶シャッター付き表示装置。
【請求項６】
請求項１から４のいずれかの遊技機用液晶シャッター付き表示装置において、前記液晶表示パネルと前記液晶シャッターの配設位置が、視線方向で全体またはほぼ全体が重なっておらず、前記前記液晶シャッターの配設位置が、前記液晶表示パネルの一部に対応していることを特徴とする遊技機用液晶シャッター付き表示装置。
【発明の詳細な説明】
【技術分野】
【０００１】
本発明は、遊技機用液晶シャッター装置の新規な構造に関する。
【背景技術】
【０００２】
遊技機で液晶表示パネルと組合せて使われる液晶シャッターの光源は、リール照光と液晶表示パネルバックライトの双方の機能を、同時点灯する１組の光源でまかなっていた。
【０００３】
図１は従来の技術の第１例を示す図である。図柄リール１と液晶シャッター２の間に、双方を照らす共有の光源３（例えば冷陰極管）と光拡散板４を置いている。図中５は液晶表示パネルである。また図中６はリール内光源（ランプ）であり、配置されることがある。
【０００４】
図２は従来の技術の第２例を示す図である。図柄リール１と液晶シャッター２の間に、双方を照らす共有の光源３を置き、液晶シャッター２と液晶表示パネル５の間にも光源７（例えばやはり冷陰極管）を置いている。
【発明の開示】
【発明が解決しようとする課題】
【０００５】
これらのような従来の遊技機用液晶シャッター装置では、液晶シャッター２を閉じて液晶画面に展開する映像を見る場面において、バックライトはカラー映像のためには白色が求められるが、図柄リール１上の色とりどりの図柄によって白以外の色も放散され、画質劣化となっていた。
【０００６】
また、図柄リール１内部に図柄照光用にリール内光源６を配置すると、図柄が持つ多様な色が映像画面に与える影響が顕著であった。
【０００７】
また、液晶シャッターを開放し図柄リール１の図柄を見る場面においては、バックライトとして作用していた光が液晶シャッター２の面等で拡散反射し、それ自体を明るくしていることから、見せるべき図柄リール１の図柄の明瞭性を欠くこととなっていた。
【０００８】
本発明は上述した従来の問題点にかんがみてなしたもので、液晶シャッターの開放時はリールが明瞭に見え、液晶シャッターの閉止時はリール図柄のさまざまな色が画面に映ってしまうことがなく、本来の映像に別な色が重なるような画質劣化が起こらない遊技機用液晶シャッター付き表示装置を提供することを目的とする。
【課題を解決するための手段】
【０００９】
本発明の請求項１に係る遊技機用液晶シャッター付き表示装置は、回転リールやセンターヤクモノを有する遊技機において、液晶表示パネルと液晶シャッターを重ねて使用する遊技機用液晶シャッター付き表示装置にあって、回転リールと液晶バックライトのための照明を、前記液晶シャッターの開放時用と閉止時用にそれぞれ別のものを設置し、前記液晶シャッターの開閉に同期してこれら照明を使い分けて点、消灯させることを特徴とする。
【００１０】
同請求項２に係るものは、請求項１の遊技機用液晶シャッター付き表示装置において、前記回転リール内に該回転のリール図柄を照光するランプがある場合は、該ランプ点灯も前記液晶シャッター開閉に同期させて点、消灯させることを特徴とする。
【００１１】
同請求項３に係るものは、請求項１または２の遊技機用液晶シャッター付き表示装置において、前記液晶シャッターが、電圧印加で透明（シャッター開放）に、不印加ではスリガラス状の不透明（シャッター閉止）になるフィルムシート状の部材であることを特徴とする。
【００１２】
同請求項４に係るものは、請求項１から３のいずれかの遊技機用液晶シャッター付き表示装置において、前記液晶表示パネルは、導光板、拡散板、反射板等を備えないものであることを特徴とする。
【００１３】
同請求項５に係るものは、請求項１から４のいずれかの遊技機用液晶シャッター付き表示装置において、前記液晶表示パネルと前記液晶シャッターの配設位置が、視線方向で全体またはほぼ全体が重なっていることを特徴とする。
【００１４】
同請求項６に係るものは、請求項１から４のいずれかの遊技機用液晶シャッター付き表示装置において、前記液晶表示パネルと前記液晶シャッターの配設位置が、視線方向で全体またはほぼ全体が重なっておらず、前記前記液晶シャッターの配設位置が、前記液晶表示パネルの一部に対応していることを特徴とする。
【発明の効果】
【００１５】
本発明は、リールを見るためのシャッター開放時は、シャッターを背後から照らすことによる不要な散乱光が無いためリールが明瞭に見え、映像を見るための液晶シャッター閉止時は、リールは暗いことからリール図柄のさまざまな色が画面に映ってしまうことがなく、本来の映像に別な色が重なるような画質劣化が起こらないという効果がある。また従来はリール照明と液晶バックライトを同時に照光していたが、それぞれの光源を使い分けることで、電力の節約と機器内発熱の減少ができるという効果も得られる。
【発明を実施するための最良の形態】
【００１６】
以下本発明を実施するための最良の形態を、図に示す実施例を参照して説明する。なお以下では、従来の例と共通する部分には共通する符号を付して説明する。
【実施例１】
【００１７】
図３は本発明に係る遊技機用液晶シャッター装置の一実施例の概念的断面図、図４は液晶表示パネルを液晶シャッターに重ね、リールの図柄が見えている状態を示す斜視図である。回転リールやセンターヤクモノを有する遊技機において、液晶表示パネルと重ね合わせて使われる液晶シャッターにあって、回転リールと液晶バックライトのための照明を、シャッターの開放時用と閉止時用にそれぞれ別のものを設置しシャッター開閉に同期し双方を使い分ける。
【００１８】
図示の遊技機用液晶シャッター装置においては、図柄リール１内にリール図柄を照光するランプ６がある場合は、このランプ６の点灯も液晶シャッター２の開閉に同期する。
【００１９】
またこの例の遊技機用液晶シャッター装置においては、液晶表示パネル５は、液晶のパネルのみであり、導光板や反射板、拡散板等を備えない。
【００２０】
さらにこの遊技機用液晶シャッター装置においては、電圧印加で透明（シャッター開放）に、不印加ではスリガラス状の不透明（シャッター閉止）になるフィルムシート状の部材を用いる。
【００２１】
本実施例を図５に示す制御ブロックによって、動作説明する。
【００２２】
液晶表示パネル５と液晶シャッター２が対を成して配置され、図中に示した視線方向から見ての後方に図柄リール１が配置されている。遊技機の状態でリールを見る場面では、光源切替スイッチ８が図中Ａ側に閉じており、液晶シャッター２は透明となり、リール用光源９とリール内面を背後から照らすためのリール内光源６とが点灯する。
【００２３】
遊技機が液晶表示パネル５に映像を展開する場面では、光源切替スイッチ８が図中Ｂ側に閉じており、液晶シャッター２は不透明のスリガラス状態となり、液晶バックライト光源１０が点灯する。リール用光源９とリール内光源６は消灯する。図中１１は液晶表示パネル制御回路、１２は液晶シャッター駆動電源である。
【実施例２】
【００２４】
図６は本発明に係る遊技機用液晶シャッター装置の他の実施例の概念的断面図、図７は液晶表示パネルを液晶シャッターに重ね、リールの図柄が見えている状態を示す斜視図である。
【００２５】
本実施例は、液晶表示パネルと重ね合わせて使われる液晶シャッターにあって、回転リールと液晶バックライトのための照明を、シャッターの開放時用と閉止時用にそれぞれ別のものを設置しシャッター開閉に同期し双方を使い分ける点は、先の実施例と同様であるが、液晶表示パネル５の一部（例えば中央部）に液晶シャッター２を配してシャッター機能を持たせ、液晶表示パネル５の他の部分は一般的な液晶ユニットと同様に、映像機能をそのまま使い得る構成としてある。
【００２６】
すなわち、図中５、２と符号を付した部分は、液晶表示パネル５と液晶シャッター２とが重なっていることを示す部分であり、図示のように図柄リール１が見えている状態では、液晶表示パネル５は無地（白色）、液晶シャッター２は透明となっている。
【００２７】
具体的には図中２０が、液晶シャッター２の機能有効範囲で、この範囲では、構造物から導光板２１、拡散板２２、反射板２３、構造板金２４を切除、あるいは透明にする構成となっている。図中２５は一般的な液晶ユニットと同様に機能する部分を示す。なお、液晶シャッター２の位置は、図示の例のような液晶表示パネル５の中央位置には限定されず、必要に応じて種々の位置を取り得ることはもちろんである。
【図面の簡単な説明】
【００２８】
【図１】従来の技術の第１例を示す図
【図２】従来の技術の第２例を示す図
【図３】本発明に係る遊技機用液晶シャッター装置の一実施例の概念的断面図
【図４】図３の実施例で、液晶表示パネルを液晶シャッターに重ね、リールの図柄が見えている状態を示す斜視図
【図５】本発明の実施例の制御ブロック図
【図６】本発明に係る遊技機用液晶シャッター装置の他の実施例の概念的断面図
【図７】図４の実施例で、液晶表示パネルを液晶シャッターに重ね、リールの図柄が見えている状態を示す斜視図
【符号の説明】
【００２９】
１  図柄リール
２  液晶シャッター
３、７  光源
４  光拡散板
５  液晶表示パネル
６  リール内光源
８  光源切替スイッチ
９  リール用光源
１０  液晶バックライト光源
１１  液晶表示パネル制御回路
１２  液晶シャッター駆動電源
２０  液晶シャッターの機能有効範囲
２１  導光板
２２  拡散板
２３  反射板
２４  構造板金
２５  一般的な液晶ユニットと同様に機能する部分
【図１】
2007215983.tif 000003
【図２】
2007215983.tif 000004
【図３】
2007215983.tif 000005
【図４】
2007215983.tif 000006
【図５】
2007215983.tif 000007
【図６】
2007215983.tif 000008
【図７】
2007215983.tif 000009